(57)【要約】【課題】  緩衝器または緩衝器収容体を簡単に着脱させるが、固定状態は堅持することができる蝶番を有した構造体の提供にある。【解決手段】  家具用蝶番等の蝶番と緩衝器（７）とを含む構造体。緩衝器（７）またはこれを収容する緩衝器収容体（５）は、部分的に弾性である少なくとも１つの固定装置（１１）の手段で蝶番に固定できる。固定装置（１１）は少なくとも１つの剛性第１支持部材（１２）と、少なくとも１つの弾性またはバネ式第２支持部材（１３）とを含んでいる。固定装置（１１）は器具を使用せずに、または手動で起動できるようにすることが可能である。第２支持部材（１３）に作用するバネ反発力は、第１支持部材（１２）から離れる方向で前記第２支持部材（１３）に作用することも可能である。【選択図】    図１
2009507147.tif 000002
【特許請求の範囲】
【請求項１】
家具用蝶番等の蝶番と緩衝器とを含む構造体であって、前記緩衝器または該緩衝器を収容する緩衝器収容体は、少なくとも部分的に弾性である固定装置の手段で蝶番に固定でき、前記固定装置（１１）は少なくとも１つの剛性第１支持部材（１２）と、少なくとも１つの弾性またはバネ式第２支持部材（１３）とを含んでいることを特徴とする蝶番を有した構造体。
【請求項２】
固定装置（１１）は器具を使用せずに、または手動で起動できることを特徴とする請求項１記載の蝶番を有した構造体。
【請求項３】
第２支持部材（１３）に作用するバネ反発力は、第１支持部材（１２）から離れる方向で前記第２支持部材（１３）に作用することを特徴とする請求項１又は２に記載の蝶番を有した構造体。
【請求項４】
第１支持部材（１２）はフック形態であるか、または少なくとも２つのフックを有することを特徴とする請求項１から３のいずれか１項に記載の蝶番を有した構造体。
【請求項５】
第２支持部材（１３）はバネ状突起体を有することを特徴とする請求項１から４のいずれか１項に記載の蝶番を有した構造体。
【請求項６】
利用時に緩衝器（７）に荷重がかかったとき、前記緩衝器（７）または緩衝器収容体（５）は第１支持部材（１２）によって蝶番上で支持されることを特徴とする請求項１から５のいずれか１項に記載の蝶番を有した構造体。
【請求項７】
蝶番または緩衝器（７）あるいは緩衝器収容体（５）は、固定装置（１１）が係合する剛性縁部（１４）を備えた開口部（１５）を有することを特徴とする請求項１から６のいずれか１項に記載の蝶番を有した構造体。
【請求項８】
蝶番は、蝶番アーム体（２）と蝶番凹形体（３）とを含む少なくとも２つの金具部（２、３）と、前記金具部を蝶番式に接続する少なくとも１つの蝶番レバー体（１６）と、オプションの中間部（８）とを含んでおり、開口部（１５）は前記金具部（２，３）のいずれか、または前記蝶番レバー体（１６）、あるいはオプションの前記中間部（８）に提供されており、固定装置（１１）は緩衝器（７）または緩衝器収容体（５）に提供または固定されているか、あるいはこれらと一体的に形成されていることを特徴とする請求項７記載の蝶番を有した構造体。
【請求項９】
蝶番は、蝶番アーム体（２）と蝶番凹形体（３）とを含む少なくとも２つの金具部（２、３）と、前記金具部を蝶番式に接続する少なくとも１つの蝶番レバー体（１６）と、オプションの中間部（８）とを含んでおり、開口部（１５）は緩衝器（７）または緩衝器収容体（５）に提供されており、固定装置（１１）は前記金具部のいずれか、または前記蝶番レバー体（１６）、あるいはオプションの前記中間部（８）に提供または固定されているか、あるいはこれらと一体的に形成されていることを特徴とする請求項７記載の蝶番を有した構造体
【請求項１０】
横方向移動または回転移動を防止するため、第３支持部材（１８）が追加的に提供されていることを特徴とする請求項１から９のいずれか１項に記載の蝶番を有した構造体。
【請求項１１】
請求項１から１０のいずれか１項に記載の構造体に適した固定装置（１１）を有することを特徴とする蝶番を有した蝶番。
【請求項１２】
請求項１から１１のいずれか１項に記載の蝶番を有した構造体に適した固定装置（１１）を有することを特徴とする緩衝器または緩衝器収容体。
【発明の詳細な説明】
【技術分野】
【０００１】
本発明は蝶番、特に家具用蝶番と緩衝器とに関する。
【背景技術】
【０００２】
緩衝器または緩衝器を収容する緩衝器収容体は、少なくとも部分的に弾性である固定手段によって蝶番に固定できるものである。一般的な蝶番と緩衝器の構造はオーストリア特許４１０１１８に紹介されている。
【発明の開示】
【発明が解決しようとする課題】
【０００３】
しかし、従来においては、緩衝器または緩衝器収容体を簡単に着脱させるが、固定状態は堅持することができないという問題があった。
【０００４】
そこで、本発明は、前記背景技術の問題を解消するためになされたもので、その目的は、一般構造の改良であり、緩衝器または緩衝器収容体を簡単に着脱させるが、固定状態は堅持することができる構造体の提供にある。
【課題を解決するための手段】
【０００５】
本発明によれば、固定装置は少なくとも１つの剛性第１支持部材と、少なくとも１つの弾性またはバネ式第２支持部材とを含む。
【０００６】
剛性第１支持部材は固定金具部を形成する。この剛性構造は、利用時に緩衝器に対して大きな荷重が作用しても、第１支持部材には機能に支障を及ぼすような変形が発生しないように設計されている。弾性あるいはバネ式第２支持部材は、緩衝器または緩衝器収容体を蝶番に、好適にはスナップフィット式に、さらに好適にはラッチ式に係合させて固定する。緩衝器の取り外しはそのバネ反発力に対して弾性変形する第２支持部材の逆作用によって提供される。
【０００７】
第２支持部材に作用するバネ反発力は、好適には第１支持部材から離れる方向で作用させる。さらに、不都合な横方向移動または回動を防止するために第３支持部材を提供することもできる。
【０００８】
固定装置は蝶番上並びに緩衝器または緩衝器収容体の両方に、好適には固定式あるいは一体的に形成できる。本発明によれば、そのような構成に適した蝶番も提供される。さらに、そのような構成に適した緩衝器、及び対応する固定装置とのそのような構成に適した緩衝器収容体が提供される。
【発明を実施するための最良の形態】
【０００９】
本発明の詳細並びに特徴は添付図面を利用した以下の詳細な説明で明らかとなろう。
【００１０】
図１から図５は本発明の第１実施例を図示する。図６から図８は本発明の他の３実施例を図示する。
【００１１】
図１は緩衝器収容体５を含んだ家具用蝶番の構造を図示する。緩衝器収容体５は蝶番アーム体２に装着され、内部にはプランジャ６が移動式に提供されている。緩衝器自体はプランジャ６と緩衝器収容体５の内部に提供されており、図示されてはいない。金具部としての従来型家具用蝶番は蝶番アーム体２以外に蝶番レバー体１６によって自身と接続されている蝶番凹形体３を有している。蝶番アーム体２は基部プレート体４に着脱式にクリップ止め機構によって固定されている。基部プレート体４と蝶番凹形体３は家具部１にネジ留めされている。
【００１２】
図２は図１の構造部の断面を示す。ここでは、プランジャ６と緩衝器収容体５の内部に提供された緩衝器７が図示されている。図示の実施例では緩衝液が充填されたリニア型緩衝器が利用されている。しかし、本発明は回転型緩衝器等の他種の緩衝器にも適用できる。緩衝器７のピストンロッド２０は緩衝器収容体５内で対応する支持壁２１に接している。緩衝器７のシリンダ２２はプランジャ６内にラバーバッファ１７を介在させて提供されている。
【００１３】
プランジャ６自体は緩衝器収容体５の下方部分５ａ内の溝状開口部により導かれる。図４に示されるように、２部分で成る緩衝器収容体５の上方部分５ｂは装置全体を覆う。この実施例では、本発明の固定装置１１は緩衝器収容体５の下方部分５ａに固定されている。
【００１４】
この場合、フック形態である２つの第１支持部材１２は、この実施例では緩衝器収容体５の下方部分５ａ上に直接的に一体形成されており、バネ状突起体の形態である第２支持部材１３は追加の部材１９と共にネジ手段またはリベット手段等で緩衝器収容体５の下方部分５ａに固定されている。第１支持部材１２と第２支持部材１３とは、緩衝器７と緩衝器収容体５とが蝶番上に装着されている図２の構造では、蝶番アーム体２の縁部１４が形成する開口部１５内に係合する。その場に装着させるには、矢印２３の方向に緩衝器収容体５を押圧するだけでよい。この場合、第２支持部材１３のバネ状突起体は変形し、フック形態の第１支持部材１２も同様に開口部１５内に進入できる。
【００１５】
固定装置１１が矢印２３の方向に深く押圧されると、第２支持部材１３のバネ状突起体が緩衝装置をその場に保持しながら第１支持部材１２が縁部１４の後方で係合する。この場合、バネ状突起体は開口部１５の縁部１４を凹形体側に押圧し蝶番アーム体２上で緩衝装置に自由移動状態の装着を提供する。利用時に緩衝器７へ荷重がかかってプランジャ６が収容体５内へ押し込まれた場合、プランジャ６、緩衝器収容体５及び緩衝器７を含む装置全体は、剛性である２つの第１支持部材１２の方向へ常に荷重がかけられる。第１支持部材１２の剛性によって、大きな荷重がかかった場合でも、緩衝器収容体５、緩衝器７及び固定装置が事故的に開口部１５から外れることがない。
【００１６】
２つの第１支持部材１２は、従来型ウオーム９に対して深さ調整のため実質的に横方向に取り付けられている。あるいは蝶番自身、特に中間部８及び間隙調整ネジ１０は本実施例においては従来式に設計される。
【００１７】
図３ａは図３を部分的に拡大した詳細図である。図３ｂでは、縁部１４後方で係合する第１支持部材１２を明確に図示するためウオーム９は省略してある。図３は図２を縮小した図である。
【００１８】
緩衝装置を取り外すには、収容体５を、第２支持部材１３のバネ力に逆らって２４の方向へ、第１支持部材１２が自由状態となって装置全体が上方へ引き出されるまで、すなわち矢印２３の反対方向へ押圧する。
【００１９】
図示の実施例の変形例では、緩衝装置を少し後方に傾斜させるか、あるいは少し前方に傾斜させて取り付けてもよい。
【００２０】
図４は、蝶番アーム体２内に縁部１４を備えた開口部１５を示す分解図である。収容体の下方部分５ａと上方部分５ｂも互いに分離状態で図示されている。横方向に形成された第３支持部材１８は収容体の上方部分５ｂ上に明確に図示されており、この第３支持部材の機能は特に図５で明確に示されている。これらは、蝶番アーム体２に装着された状態の緩衝器収容体が横方向の力の適用によって不意に蝶番アーム体から外れ落ちないように蝶番アーム体２を包囲する。この追加設置によっても緩衝装置の回転を確実に防止する。
【００２１】
図４で示す好適実施態様ではプランジャ６内に装着されたラバーバッファ１７を示しており、家具の可動構成部１への大きな衝撃を防止する。
【００２２】
図６は第２実施例を示しており、緩衝器収容体５は蝶番アーム体２へ横方向に装着されている。図７では、緩衝器収容体を蝶番凹形体３または別の第２金具部へも装着できる実施例を示している。図８の実施例は、従来型の広角型蝶番を示しており、緩衝器収容体は本発明の固定装置１１（ここでは図示せず）の手段で、蝶番レバー体１６へ装着されている。蝶番レバー体１６は蝶番アーム体２に対して回動式に支持されている。この実施例のプランジャ６は別の蝶番レバー体１６に支持されている。図６から図８までの全実施例では本発明の固定装置を図１から図５に示す第１実施例のように設計することができる。固定装置１１が係合する開口部１５は、蝶番の各対応部分、すなわち金具部２及び３のいずれか、対応する蝶番レバー体、あるいは中間部８に提供される。あるいは、固定装置１１を金具部２及び３のいずれか、蝶番レバー体１６、またはオプションで提供される中間部８に提供することもできる。
【図面の簡単な説明】
【００２３】
【図１】第１実施形態を示す図である。
【図２】第１実施形態を示す図である。
【図３】第１実施形態を示す図である。
【図４】第１実施形態を示す図である。
【図５】第１実施形態を示す図である。
【図６】他の実施形態を示す図である。
【図７】他の実施形態を示す図である。
【図８】他の実施形態を示す図である。
【符号の説明】
【００２４】
５  緩衝器収容体
７  緩衝器
１１  固定装置
１２  第１支持部材
１３  第２支持部材
【図１】
2009507147.tif 000003
【図２】
2009507147.tif 000004
【図３】
2009507147.tif 000005
【図４】
2009507147.tif 000006
【図５】
2009507147.tif 000007
【図６】
2009507147.tif 000008
【図７】
2009507147.tif 000009
【図８】
2009507147.tif 000010
【国際調査報告】
2009507147.tif 000011
2009507147.tif 000012
2009507147.tif 000013
2009507147.tif 000014